(57)【要約】【課題】熱負荷に応じて冷却方式の選択が可能な冷蔵室を具備する冷凍冷蔵庫を提供する。【解決手段】本実施例では、野菜室温度Ｔｖに基づき、定常運転期間中に開度縮小処理と開度拡大処理とを交互に実施させる。即ち、定常運転期間では、野菜室温度Ｔｖが野菜室用下限閾値温度Ｔｖ２（５℃）を下回った後（時刻ｔ１の直後）、冷気流量調整手段が駆動することで、冷気経路（冷気導引経路，冷気戻し経路）における開度の縮小が行われる（開度縮小処理）。また、野菜室温度Ｔｖが野菜室用上限閾値温度Ｔｖ１（１２℃）を上回った後（時刻ｔ２の直後）、冷気流量調整手段が駆動され、冷気経路における開度の拡大が行われる（開度拡大処理）。このように、本実施例では、冷気経路の開度を増減させることにより、野菜室１３０の庫内温度を上昇・低下させ当該庫内温度をヒステリス制御させる。【選択図】図５
2014145515.tif 000002
【特許請求の範囲】
【請求項１】
室内冷気の循環が行われる循環冷却式貯蔵室と、輻射冷却が行われると供に室内冷気の流動形成が可能な輻射冷却式冷蔵室と、前記輻射冷却式冷蔵室に流れる室内冷気の流量を冷気経路へ与える開度変更によって調整させる冷気流量調整手段と、前記輻射冷却式冷蔵室の温度情報を取得することが可能な制御装置と、を備え、
前記制御装置は、前記輻射冷却式冷蔵室の温度情報に基づいて、前記開度変更を実施させる信号を出力することを特徴とする冷凍冷蔵庫。
【請求項２】
前記制御装置は、
前記輻射冷却式冷蔵室の庫内温度が下限閾値温度を下回った後に、前記冷気経路での開度を縮小させる開度縮小処理と、
前記輻射冷却式冷蔵室の庫内温度が上限閾値温度を上回った後に、前記冷気経路での開度を拡大させる開度拡大処理と、
を機能させることを特徴とする請求項１に記載の冷凍冷蔵庫。
【請求項３】
前記循環冷却式貯蔵室の室内冷気の流動制御を行うファンモータは、前記輻射冷却式冷蔵室の庫内温度が下限閾値温度を下回った後であって、且つ、冷却機用コンプレッサの回転数が低下される前に、当該ファンモータの回転数が低下するよう制御されることを特徴とする請求項２に記載の冷凍冷蔵庫。
【発明の詳細な説明】
【技術分野】
【０００１】
本発明は、冷凍冷蔵庫に関し、特に、輻射冷却式冷蔵室での冷気流量が調節可能な冷凍冷蔵庫に関する。
【背景技術】
【０００２】
特開２００１−３４３１８０号公報（特許文献１）では、ファンクール式（循環冷却式）の設定と壁面冷却式（輻射冷却式）の設定とを選択可能とさせた冷凍冷蔵庫が紹介されている。
【先行技術文献】
【特許文献】
【０００３】
【特許文献１】特開２００１−３４３１８０号公報
【発明の概要】
【発明が解決しようとする課題】
【０００４】
しかしながら、特許文献１の技術では、扉の動作に基づいて冷却方式が選択される為、扉が閉成されると、庫内の熱負荷に関わらず、冷却能力の劣る輻射冷却方式に設定されてしまう。このように、特許文献１に係る技術では、熱負荷が大きい場合であっても扉の動作に応じて輻射冷却方式が選択されてしまうので、庫内温度を設定値へ制御させることが困難となる。
【０００５】
本発明は上記課題に鑑み、熱負荷に応じて冷却方式の選択が可能な冷蔵室を具備する冷凍冷蔵庫の提供を目的とする。
【課題を解決するための手段】
【０００６】
上記課題を解決するため、本発明では次のような冷凍冷蔵庫の構成とする。即ち、室内冷気の循環が行われる循環冷却式貯蔵室と、輻射冷却が行われると供に室内冷気の流動形成が可能な輻射冷却式冷蔵室と、前記輻射冷却式冷蔵室に流れる室内冷気の流量を冷気経路へ与える開度変更によって調整させる冷気流量調整手段と、前記輻射冷却式冷蔵室の温度情報を取得することが可能な制御装置と、を備え、
前記制御装置は、前記輻射冷却式冷蔵室の温度情報に基づいて、前記開度変更を実施させる信号を出力することとする。
【０００７】
好ましくは、前記制御装置は、前記輻射冷却式冷蔵室の庫内温度が下限閾値温度を下回った後に、前記冷気経路での開度を縮小させる開度縮小処理と、前記輻射冷却式冷蔵室の庫内温度が上限閾値温度を上回った後に、前記冷気経路での開度を拡大させる開度拡大処理と、を機能させることとする。
【０００８】
好ましくは、前記循環冷却式貯蔵室の室内冷気の流動制御を行うファンモータは、前記輻射冷却式冷蔵室の庫内温度が下限閾値温度を下回った後であって、且つ、冷却機用コンプレッサの回転数が低下される前に、当該ファンモータの回転数が低下するよう制御されることとする。
【発明の効果】
【０００９】
本発明に係る冷凍冷蔵庫によると、輻射冷却式冷蔵室の庫内温度に基づいて冷気経路の開度制御が行われるので、当該輻射冷却式冷蔵室の庫内温度が好適に保たれる。
【図面の簡単な説明】
【００１０】
【図１】実施の形態に係る冷凍冷蔵庫の断面構造を示す図。
【図２】実施の形態に係る経路遮断部の構成を示す図。
【図３】冷気の循環状態を示す図。
【図４】実施例１に係る冷凍冷蔵庫の構成を示す機能ブロック図。
【図５】庫内温度の変化推移を示すタイミングチャート（実施例１）。
【発明を実施するための形態】
【００１１】
以下、本発明に係る実施の形態につき図面を参照して具体的に説明する。図１は、本実施の形態に係る冷凍冷蔵庫の断面構造が示されている。図示の如く、冷凍冷蔵庫１００は、内部に断熱材を充填させた天板断熱パネル１０１，背面断熱パネル１０２，及び，底板断熱パネル１０３が組合わされ、内部に貯蔵空間を有する矩形体が形成されている。この貯蔵空間では、断熱性を有する間仕切部１０４、背面内部パネル１４０ａ〜１４０ｂ、中仕切部１５０を備えている。このうち、間仕切部１０４は冷凍室と冷蔵室との間に設けられ、中仕切部１５０は冷蔵室と野菜室との間に設けられる。即ち、本実施の形態に係る冷凍冷蔵室１００は、天板側から順に、冷凍室１１０，冷蔵室１２０，野菜室１３０がレイアウトされている。
【００１２】
冷凍室１１０の開口部には、開閉可能な冷凍扉１１１が設けられ、室内側にはドアポケットが設けられている。また、冷凍室１１０の庫内背面側には、背面内部パネル１４０ａと背面断熱パネル１０２との間に背面ダクト１７０が形成され、当該背面ダクト１７０には、エバポレータ２０及び撹拌ファン１０が配備されている。また、背面内部パネル１４０ａは、所定距離を隔てて連通孔１４１，１４２が形成されており、これらの間に仕切板１１２が設けられる。図示の如く、冷凍室１１０では、撹拌ファン１０によって連通孔１４１から室内冷気Ａｆが供給され、室内冷気Ａｆが仕切板１１２の端部まで導かれ、その室内冷気Ａｆが連通孔１４２へ戻される。このように、本実施の形態に係る冷凍室は、主として室内冷気の循環によって貯蔵物を冷却させる循環冷却式貯蔵室であって、約−１８℃程度の冷凍用温度に設定される。
【００１３】
図示の如く、本実施の形態では、一の開口部に対応して冷蔵室１２０及び野菜室１３０が設けられる。このうち、冷蔵室１２０は、仕切板１２２と背面内部パネル１４０ｂとが設けられ、更に、開閉自在な冷蔵扉１２１（開閉扉）のドアポケット１２１ａ及び１２１ｂが其の内部へ収容される。冷蔵室１２０では、自然対流によって室内冷気Ａｒが連通孔１４３から供給され、その室内冷気Ａｒは、仕切板１２２の端部まで導かれてから、連通孔１４４へ戻される。このように、本実施の形態に係る冷蔵室１２０も、主として室内冷気の循環によって貯蔵物を冷却させる循環冷却式貯蔵室であって、ここでは、約３℃〜５℃程度の冷蔵用温度に設定される。
【００１４】
野菜室１３０には、上部に開口を有する樹脂製の野菜トレイ１３１，１３２が設けられている。このうち、野菜トレイ１３１は、外周の一部に輻射板１３１（特許請求の範囲における輻射材）を覆わせた形態を成し、輻射板１３１ａの一部が内部で露出されるよう適宜工夫されている。また、野菜トレイ１３１と野菜トレイ１３２との間には、平板状の輻射板１３３（特許請求の範囲の輻射材）が設けられている。これら輻射材は、銅材またはアルミ材など熱伝導性の高い材質が用いられる。このように、野菜室１３０は、輻射材を庫内空間に適宜配備されたものであって、其の輻射冷却作用を用いて貯蔵物を冷却させる輻射冷却式冷蔵室である。また、本実施の形態に係る野菜室１３０では、庫内温度が５℃〜１２℃といった野菜貯蔵用温度に設定される。但し、これが上述した冷蔵用温度に近い温度へ設定されるものであっても良い。
【００１５】
野菜室１３０では、其の庫内空間に様々な室内冷気の冷気経路が形成され得る。例えば、野菜トレイ１３１のトレイ内部を通過する経路，野菜トレイ１３１と背面断熱パネル１０２との隙間を経由し野菜トレイ１３２のトレイ内部を通過する経路，輻射板１３３と野菜トレイ１３１（輻射板１３１ａを含む）との隙間を通過する経路，その他，野菜トレイの脇や底部を通過する経路，等が形成される。
【００１６】
尚、室内冷気とは、貯蔵物を配置する空間（庫内空間）に分布する冷気を指すものであり、この意味において、貯蔵物を配置しない空間（例えば、背面ダクト等）に分布する冷気とは区別される。
【００１７】
中仕切部１５０（特許請求の範囲における仕切部）の背面側では、冷気導引経路１８１を介して背面ダクト１７０と野菜室１３０の庫内空間とが連通され、背面ダクト１７０から与えられた冷気Ａｄを野菜室１３０へ供給可能とさせている。そして、野菜室直前まで導かれた冷気（導引冷気）は、野菜室１３０にて様々な経路に分枝して、青果貯蔵物・輻射板等を其の経路に応じて冷却させていく。
【００１８】
中仕切部１５０（特許請求の範囲における仕切部）の前面側では、ドアポケット１２１ｂとの間に冷気戻し経路１８２が形成され、当該冷気戻し経路１８２によって野菜室１３０と冷蔵室１２０とを連通させている。冷気戻し経路１８２では、野菜室内の冷気を此処で合流させ、其の戻し冷気Ａｖ６（室内冷気の一形態）は、冷蔵室を循環する室内冷気Ａｆと供に背面ダクト１７０へ導かれる。尚、本実施の形態では、ドアポケット１２１ｂと中仕切部１５０の端との対抗箇所で冷気戻し経路１８２が形成されている。但し、ドアポケットが無い場合には、冷蔵扉１２１の庫内側表面と中仕切部１５０の端との対抗箇所で冷気戻し経路１８２が形成されることとなる。このように、ドアポケット又は扉の庫内側表面といった扉の庫内に形成される構造は、何れも、特許請求の範囲における庫内構造に含まれるものである。
【００１９】
このような冷凍冷蔵庫１００は、エバポレータ２０，コンプレッサ３０，この他，凝縮器，キャピラリ―チューブ，によって冷媒回路を形成させており、ヒートポンプサイクルによって冷却作用を得ている。そして、この冷凍冷蔵庫１００にはマイコン等を具備する制御装置（図示なし）が設けられ、当該制御装置は、コンプレッサ３０やファンモータ１０といった装置を適宜制御させることで、各庫内温度を適正温度に調整制御させている。このような制御では、各室に設けられた温度計（図示なし），又は，開閉扉の開閉状態を検出する開閉検出素子（図示なし），等から得られる情報が用いられる。
【００２０】
本実施の形態に係る冷凍冷蔵庫１００は、図２に示す如く、導引冷気制限部１６３と戻し冷気制限部１６１とが設けられる。導引冷気制限部１６３は、冷気導引経路１８１に設けられ、当該経路の経路断面積を変化させるよう経路断面の開度変更が可能である。また、戻し冷気制限部１６１は、冷気戻し経路１８２に設けられ、当該経路の経路断面積を変化させるよう開度変更が可能である。かかる制限部１６１，１６３は、それぞれ操作部が設けられ独立して各々の開度を調節できるようにしても良い。また、これらの制限部を電気的に制御できるようにしてもよい。
【００２１】
図３（ａ）に示す如く、双方の経路断面の開度が０％近傍まで絞られると、導引冷気も戻し冷気も遮断されることとなる。従って、野菜室１３０の庫内空間には、冷気が殆ど流れなくなる。即ち、この場合には、冷却作用の殆どが輻射冷却に委ねられることとなる。この場合、野菜室１３０では、青果貯蔵物の周辺湿度が低下されずに済み、当該青果物の鮮度を好適に維持できる。
【００２２】
一方、図３（ｂ）に示す如く、双方の経路断面の開度によって、導引冷気及び戻し冷気が流動可能となり、例えば、「１８１→Ａｖ１→１８２→Ａｖ６（第１トレイ冷却ルート）」，「１８１→Ａｖ２→Ａｖ４→Ａｖ５→１８２→Ａｖ６（第２トレイ冷却ルート）」，「１８１→Ａｖ２→Ａｖ３→Ａｖ５→１８２→Ａｖ６（輻射板冷却ルート）」，この他、様々な冷却ルートを冷気が通過することとなる。経路断面の開度が１００％に設定される場合、野菜室１３０では、室内冷気の流動形成によって、野菜室１３０に流動冷気が最大限導入された循環冷却が行われる（図３ｂ参照）。この場合、野菜室１３０では、急激な温度上昇に対して、即座に温度を適正値へ戻すような温度制御が可能となる。
【００２３】
尚、上述した冷却ルートの他、冷蔵室と野菜室との間にダクトを設け、其のダクト壁での輻射熱を利用して冷却効果を発生させるようにしても良い。この場合、ダクト壁の全部又は一部が金属製の輻射板とされ、当該輻射板が野菜室に露出するように配置される。
【００２４】
また、経路断面を中間的な開度に設定するよう、導引冷気制限部１６３及び戻し冷気制限部１６１の両方，若しくは，導引冷気制限部１６３又は戻し冷気制限部１６１の何れか一方を調節操作するようにしても良い。この場合、冷却効果をある程度確保させつつ、併せて、青果物の鮮度低下を一定範囲に抑えるといった調節が可能となる。特に、導引冷気制限部１６３を予め適正開度へ設定しておけば、利用者にとって手前側の戻し冷気制限部１６１の操作のみで済むので、扉の開放時間を短縮でき、結果として、野菜室１３０に流れる冷気流量を低く設定させることができる。
【００２５】
このように、野菜室１３０では、導引冷気制限部１６３及び戻し冷気制限部１６１の開度調節によって、此処を通過する冷気流量を適宜に調整することが可能となる。従って、本実施の形態に係る冷凍冷蔵庫１００によると、野菜室１３０では、熱負荷に応じて冷気流量が調節されることで、温度制御に係る応答性が維持されると供に、当該室内へ格納された貯蔵物の鮮度低下が最小限に抑えられる。
【００２６】
また、制限部１６１，１６３の開度を低下させる場合、循環冷却作用によって輻射板が十分に冷却されているので、輻射冷却（開度０％）に切換えられても、其の輻射板は十分な冷却作用を発揮できる。
【００２７】
また、本実施の形態に係る冷凍冷蔵庫１００によると、中仕切部１５０とこれに対面する冷蔵扉１２１の庫内構造との間に、冷気戻し経路１８２が形成される。即ち、非常に簡素な構成で、冷気戻り経路１８２を形成させることが可能となる。
【００２８】
特に、冷蔵扉１２１の庫内構造をドアポケット１２１ｂとすることで、冷気戻し経路１８２を広すぎず狭すぎず適度な断面積とすることが可能となる。従って、戻し冷気制限部１６１の大きさを無用に肥大化させずに済む。
【００２９】
また、冷気戻し制限部１６１は、中仕切部１５０の形成面のうち、冷蔵扉１２１へ対面する部位（前面側化粧面１５５）に設けられる。かかる前面側化粧面１５５は、当然の如く冷蔵貯蔵物を配置させる場所ではないので、貯蔵物配置面１５４（食品貯蔵物を配置させる領域）で如何に冷蔵貯蔵物を配置させても、冷気戻し制限部１６１の動作が妨げられることは無い。
【００３０】
特に、本実施の形態に係る冷気戻し制限部１６１は、前面側化粧面１５５からスライド動作して水平方向に運動する機構とされ、言換えると、貯蔵物配置面１５４に対しスライド動作する。従って、当該冷気戻し制限部１６１の動作は、貯蔵物配置面１５４の貯蔵物に干渉することはなく、当該貯蔵物の配列を乱したりするようなこともない。
【００３１】
ここで、冷気戻し制限部１６１とドアポケット１２１ｂとの接近部は、完全な密閉状態が要求されるものではない。ここでは、冷気の流れを考慮して、双方の構造の重なり具合を適宜設定すると良い。従って、このように気流の流れが検討されていれば、冷気戻し制限部１６１とドアポケット１２１ｂとの接近部では、パッキン等の部品を省略できる。
【００３２】
また、図２に示す如く、本実施の形態に係る冷凍冷蔵庫１００は、径の異なるドラム１６５，１６６を一体化させたリンク機構が用いられている。かかるリンク機構は、各制限部１６１，１６３が板状体とされ、其の一方１６１がリンクアーム１６２を介して大型ドラム１６５に接続されている。また、他方１６３がリンクアーム１６４を介して小型ドラム１６６に接続されている。これらのリンクアームは、各節において回動可能とされ、ドラムの回転位置に応じて各制限部１６１，１６３へ押出力または引戻力を与える。そして、このリンク機構では、双方のドラムが一体化されているので、一の動作で双方の制限部１６１及び１６３が同時に操作されることとなる。
【００３３】
このように、本実施の形態に係る制限部１６１，１６３は、一の操作で双方調整させ得るリンク機構が設けられているので、これを手動調節させる場合、冷蔵扉１２１の開放時間を短縮できる。また、モーター等のアクチュエータを用いてこのリンク機構を操作させる場合には、一のアクチュエータによって制限部１６１，１６３を動作できることになり（自動制御）、装置の簡素化・低コスト化が図られることとなる。また、他の例として、冷気導引制限部１６３と冷気戻し制限部１６１との各々にアクチュエータを設けて、自動制御させることも考えられる。この場合、各々のアクチュエータが、これに対応する制限部１６１，１６３を動作させることとなる。
【実施例１】
【００３４】
本実施例では、冷気の制限部を自動制御させる際の具体例を紹介する。図４は、冷凍冷蔵庫の冷媒回路と、これを電気的に制御する制御装置の機能ブロックが示されている。図の示すところ、冷媒回路１００ａを循環する冷媒は、冷却機用コンプレッサ３０を通過する際に高圧高温化され、凝縮器４０を通過する際にこれが冷却され液相状態となる。その後、液相状態の冷媒は、キャピラリーチューブ５０で減圧され、エバポレータ２０では、其の冷媒が気化されることで、庫内の熱量を吸収（冷却）する。かかる冷媒は、気相の状態で冷却機用コンプレッサ３０へ再投入され、冷却サイクルが繰り返されることとなる。
【００３５】
冷凍冷蔵庫１００は、冷凍室内温度計６１，冷蔵室内温度計６２，野菜室内温度計６３，この他、開閉検出素子等を配備させている。室内温度計６１〜６３は、温度センサが内蔵されており、庫内の温度を計測し、計測結果を電気信号に変換し出力する。
【００３６】
冷凍室１１０及び冷蔵室１２０（循環冷却式貯蔵室）では、ファンモータによって庫内ファン１０が駆動され、室内冷気が強制的に流動されることとなる。一方、野菜室１３０（輻射冷却式冷蔵室）では、上述した輻射板等によって輻射冷却が行われると供に、様々な冷却ルートを具備し、ここでの室内冷気の流動形成が可能とされている。
【００３７】
本実施例では、冷気導引制限部１６３と冷気戻し制限部１６１とを同時に動作させるリンク機構が設けられ、このリンク機構とこれを駆動させるアクチュエータ８０とによって冷気流動調整手段が形成される。かかる冷気流動調整手段は、アクチュエータ８０を駆動させることで、冷気経路（冷気導引経路，冷気戻し経路）へ与える開度変更が行われ、これにより、野菜室１３０に流れる室内冷気の流量を調整させる。
【００３８】
制御装置９０では、図示の如く、温度検出部９１，ＣＭＰモータ制御部９２，ＣＮＤモータ制御部９３，ＥＶＰモータ制御部９４，及び，冷気流量制御部９５が構築される。このうち、ＣＭＰモータ制御部９２は、ＰＷＭ信号を生成し、これをドライブ回路１２へ出力することで冷却機用コンプレッサモータ３０の回転数を制御する。また、ＣＮＤモータ制御部９３は、送風ファン４１のファンモータを制御させ、ＥＶＰモータ制御部９４は庫内ファン１０のファンモータを制御させる。
【００３９】
また、制御装置９０は、信号ラインを介して室内温度計６１〜６３，アクチュエータ８０等に接続されており、それぞれの入力ポートへ各センサから電気信号が印加される。温度検出部９１は、各温度計からの印加電圧に基づき室内温度の情報を得る役割を担い、これにより、冷凍室１１０，冷蔵室１２０及び野菜室１３０での庫内温度に係る情報を取得（把握）する。
【００４０】
かかる制御装置９０は、ＣＰＵ，メモリ回路，ＡＤ変換回路，クロック回路等のハードウェア資源と、メモリ回路等に格納された制御プログラム及び基準値情報といったソフトウェア資源とから成る装置である。制御装置９０は、これらハードウェア資源とソフトウェア資源とが協働することで、上述した機能部（９１〜９５），その他の処理機能を構築させる。こうして、制御装置９０では、コンプレッサモータの回転数を設定する制御，庫内ファンモータの回転数を設定する制御，アクチュエータのストローク制御（開度制御），といった様々な制御処理を実施する。
【００４１】
図５は、庫内温度，野菜室冷気経路の開度，及び，コンプレッサ回転数のタイミングチャートが各々示されている。ここで、庫内温度のうち、野菜室温度の推移はＴｖによって示され、冷蔵室温度の推移はＴｒによって示され、冷凍室温度の推移はＴｆによって示されている。また、本実施例では、野菜室用目標温度Ｔｖ−ｔｇ，野菜室用上限閾値温度Ｔｖ１（特許請求の範囲における上限閾値温度），野菜室用下限閾値温度Ｔｖ２（特許請求の範囲における下限閾値温度），冷凍室用目標温度Ｔｆ−ｔｇ，冷凍室用上限閾値温度Ｔｆ１，及び，冷凍室用下限閾値温度Ｔｆ２に係る情報がメモリ回路に記録され、これら情報が上述した処理機能部で用いられることとなる。
【００４２】
同図には、ＩＰＤ運転期間と定常運転期間とが示されている。ＩＰＤ運転期間とは、庫内温度を「Ｉｎｉｔｉａｌ  Ｐｕｌｌ  Ｄｏｗｎ」させる制御期間であって、例えば、庫内温度が外気温度に近い状態から冷却するような制御を指す。一方、定常運転期間とは、庫内温度が設定温度に近づいてから切換えられる運転動作であって、かかる運転動作では、上限閾値温度〜下限閾値温度の間を庫内温度がヒステリシス制御されることで、当該庫内温度が目標温度に近い状態に制御される。
【００４３】
図示の如く、ＩＰＤ運転期間では、コンプレッサ回転数が「Ｒｖ４→Ｒｖ３→Ｒｖ２」といったように、段階的に低下するように設定される。尚、本実施例では、Ｒｖ４＝４５００（rpm），Ｒｖ３＝３５００（rpm），Ｒｖ２＝２５００（rpm），に設定される。ＩＰＤ運転期間では、冷凍室１１０，冷蔵室１２０，野菜室１３０について室内冷気が流動形成され、これにより、全ての庫内が急冷されるよう制御される。
【００４４】
一方、定常運転期間では、冷凍室温度Ｔｆが冷凍室用上限閾値温度Ｔｆ１へ達した後（−１５℃）にコンプレッサ回転数が「Ｒｖ１＝１５００（rpm）」にて運転され、冷凍室温度Ｔｆが冷凍室用下限閾値温度Ｔｆ２（−１８°）へ達した後にコンプレッサ回転数が「Ｒｖ０＝０（rpm）」にて運転される、といった動作が繰り返される。このように、冷凍室温度Ｔｆは、其の庫内温度に基づいて、両閾値温度の間を反復するヒステリシス制御が行われる。また、冷蔵室温度Ｔｒは、連通孔によって適宜の冷気が冷蔵室１２０へ導引され、Ｔｒ１（５℃）〜Ｔｒ２（０℃）の間を反復するようヒステリシス制御が行われる。
【００４５】
また、定常運転期間では、野菜室温度Ｔｖ（輻射冷却式冷蔵室の庫内温度）に基づいて、冷気経路（冷気導引経路，冷気戻し経路）の開度変更を実施させる指令信号が制御装置９０から出力される。本実施例に係る冷凍冷蔵庫１００によると、野菜室温度Ｔｖに基づいて冷気経路の開度制御が行われるので、庫内温度を冷却させるに足る冷気が野菜室へ導引され、野菜室温度Ｔｖが好適温度に保たれる。また、野菜室が十分に冷却された場面では、野菜室内の冷気流量が抑えられるので、青果物が乾燥することなく鮮度が保たれることとなる。
【００４６】
より具体的に説明すると、本実施例に係る制御装置９０では、野菜室温度Ｔｖに基づき、定常運転期間中に開度縮小処理と開度拡大処理とを交互に実施させる。即ち、定常運転期間では、野菜室温度Ｔｖが野菜室用下限閾値温度Ｔｖ２（５℃）を下回った後（時刻ｔ０の直後）、冷気流量調整手段が駆動することで、冷気経路（冷気導引経路，冷気戻し経路）における開度の縮小が行われる（開度縮小処理）。また、野菜室温度Ｔｖが野菜室用上限閾値温度Ｔｖ１（１２℃）を上回った後（時刻ｔ２の直後）、冷気流量調整手段が駆動され、冷気経路における開度の拡大が行われる（開度拡大処理）。このように、制御装置９０は、冷気経路の開度を増減させることにより、野菜室内へ導引させる冷気流量を増減させ、これにより、野菜室１３０の庫内温度を目標温度近傍でヒステリス制御させる。
【００４７】
また、図５に示す如く、野菜室温度Ｔｖは、開度の切換えが行われる期間の途中でコンプレッサの動作が切換えられる。例えば、期間ｔ０〜ｔ２の間では、時刻ｔ１にてコンプレッサがオフに切換えられる。また、期間ｔ２〜ｔ４の間では、時刻ｔ３にてコンプレッサがオンへ切換えられる。この為、期間ｔ０〜ｔ２では、コンプレッサのオフ動作に応じて、野菜室温度Ｔｖの上昇勾配が幾分上昇する。また、期間ｔ２〜ｔ４では、コンプレッサのオン動作に応じて、野菜室温度Ｔｖの下降勾配が幾分急峻となる。
【００４８】
一方、冷凍室１１０及び冷蔵室１２０では、冷気流量調整手段の動作によって野菜室１３０への冷気導引量が変化するので、これを受けて、これら循環冷却式貯蔵室への冷気供給量が変化する。従って、循環冷却式貯蔵室の温度上昇期間（ｔ１〜ｔ３）では、開度変更が行われる時刻ｔ２を境に循環冷却式貯蔵室への冷気供給量が低下するので、Ｔｆ及びｔｒの温度上昇が幾分急峻となる。また、循環冷却式貯蔵室の温度低下期間（ｔ３〜ｔ５）では、開度変更が行われる時刻ｔ４を境に循環冷却式貯蔵室への冷気供給量が回復するので、Ｔｆ及びｔｒの温度低下が幾分急峻となる。
【００４９】
以上のことから、例えば、期間ｔ２〜ｔ３では、コンプレッサがオフ状態とされた上、冷気を野菜室１３０へ多量に供給させなければならない。このような場合、庫内ファン１０のファンモータ（循環冷却式貯蔵室の室内冷気の流動制御を行うファンモータ）は、冷凍室１１０又は冷蔵室１２０（循環冷却式貯蔵室）へ十分な冷気を供給できるよう、其の回転数を増加設定しなければならない。
【００５０】
一方、期間ｔ０〜ｔ１，ｔ４〜ｔ５（輻射冷却式冷蔵室の庫内温度が下限閾値温度を下回った後、且つ、冷却機用コンプレッサの回転数が低下される前）では、コンプレッサがオン状態とされた上、冷気経路での開度が絞られているので野菜室１３０への冷気供給量は少なくて済む。このように冷凍室及び冷蔵室（循環冷却式貯蔵室）を冷却させる条件が整っている場面では、ファンモータの回転数を低下制御（又は、オフ）させることが可能となり、電力消費量の低減を図る上で有利となる。尚、このファンモータの回転数は、コンプレッサの回転数が低下されるあたりで通常の回転数とさせ、循環冷却式貯蔵室への冷気供給能力を回復させると良い。
【符号の説明】
【００５１】
１００  冷凍冷蔵庫，    １１０  冷凍室（循環冷却式貯蔵室），    １２０冷蔵室（循環冷却式貯蔵室），    １２１  冷蔵室用開閉扉，    １２１ａ〜１２１ｂ  ドアポケット，    １３０野菜室（輻射冷却式冷蔵室），    １３１ａ  トレイ一体型輻射板，    １３３  中仕切型輻射板，    １５０  仕切部，    １５４  貯蔵物配置面，    １５５  ドアポケット対面部位，    １６１  導引冷気制限部，    １６３  戻し冷気制限部，    １７０  背面ダクト，    １８１  冷気導引経路，    １８２  冷気戻し経路，    ２００  金属塊，    ８０  アクチュエータ，    ９０  制御装置。
【図１】
2014145515.tif 000003
【図２】
2014145515.tif 000004
【図３】
2014145515.tif 000005
【図４】
2014145515.tif 000006
【図５】
2014145515.tif 000007